(57)【要約】【課題】産業廃棄物を焼却する為の運搬可能な小型溶融焼却炉であって、製作費が安くてあらゆる産業廃棄物を焼却することが出来ると共に、発生する焼却灰の量を極力抑え、しかもダイオキシンが発生しない小型溶融焼却炉の提供。【解決手段】耐火煉瓦で造った第１燃焼室１を有す第１燃焼炉４と、該第１燃焼炉４の外に耐火煉瓦で造った第２燃焼室２を有す第２燃焼炉１４を耐火煉瓦で造った通路を介して設けている。又第２燃焼炉１４から延びる耐火煉瓦製の通路１６には耐火煉瓦製のサイクロン３を接続し、上記第１燃焼炉４には第１燃焼装置６を取着して第１燃焼室１の温度を１４００℃〜１７００℃の高温に加熱する。そして第１燃焼室１の底には底蓋８を設けると共に底蓋８の下方には収容部を形成した容器１０を備えている。【選択図】        図１
2004333082.tif 000002
【特許請求の範囲】
【請求項１】
産業廃棄物を焼却する為の運搬可能な小型焼却炉において、耐火煉瓦で造った第１燃焼室を有す第１燃焼炉と、該第１燃焼炉の外に耐火煉瓦で造った第２燃焼室を有す第２燃焼炉を耐火煉瓦で造った通路を介して設け、又第２燃焼炉から延びる耐火煉瓦製の通路には耐火煉瓦製のサイクロンを接続し、上記第１燃焼炉及び第２燃焼炉には各々燃焼装置を取着して第１燃焼室の温度を１４００℃〜１７００℃の高温に加熱することが出来、そして第１燃焼室の底には底蓋を設けると共に底蓋の下方には収容部を形成した容器を備えたことを特徴とする小型焼却溶融炉。
【請求項２】
上記容器をジャッキを介して押し上げると共に、ジャッキを解除した際にはレールに沿って引き出し可能とした請求項１記載の小型焼却溶融炉。
【請求項３】
上記サイクロンの底を開閉可能として、該底に溜まった灰を取り出すことが出来るようにした請求項１、又は請求項２記載の小型焼却溶融炉。
【請求項４】
上記第１燃焼炉、第２燃焼炉、及びサイクロン等を一つの基台上に装着した請求項１、請求項２、又は請求項３記載の小型焼却溶融炉。
【発明の詳細な説明】
【０００１】
【発明の属する技術分野】
本発明は、あらゆる産業廃棄物を焼却・溶融することが出来ると共に、焼却にて排出される焼却灰の量を軽減し、又ダイオキシンの発生を防止して環境への悪影響を抑えることが出来る小型焼却溶融炉に関するものである。
【０００２】
【従来の技術】
２０世紀が目指してきた「大量生産、大量消費」の社会は、同時に大量の廃棄物や公害及び地球温暖化などの難問を生み出し、地球規模の環境保全が社会の大きなテーマと成っている。２１世紀に向けて、良好な生活環境の維持と持続的な社会・経済の発展にとって、廃棄物の抑制が重要な課題の１つであり、地球環境においても廃棄物の排出を抑制すると共に、廃棄物処理施設の円滑な整備を促進し、廃棄物の適正処理を確保することが緊急の課題である。
【０００３】
平成１４年版環境白書によると、環境省が取りまとめた平成１１年の一般廃棄物の排出量は、５１４５万トンに達してほぼ横ばい傾向を示し、同じく産業廃棄物の排出量は４万トンとなって、僅かに減少傾向に転じている。しかし、廃棄物の処分場に関しては、新たに設置が許可される場所は近年減少しており、新規施設が大幅に減少している。
【０００４】
廃棄物を焼却することでその体積及び重量は小さくなるが、発生する焼却灰は処分場に廃棄される。その為に、焼却して発生する焼却灰の排出量も大きな問題である。すなわち、完全に焼却されないことで発生する焼却灰の量が膨大なものとなる。一方、産業廃棄物ではその種類を問わずに同一炉で焼却することが出来ず、この点も廃棄物を焼却するに当って大きな問題と成っている。
【０００５】
【発明が解決しようとする課題】
このように、従来の焼却炉には上記のごとき問題がある。本発明が解決しようとする課題はこれら問題点であって、小型で製作費が安く、あらゆる産業廃棄物を焼却・溶融することが出来ると共に、発生する焼却灰の量を極力抑えることが出来る小型焼却溶融炉を提供する。
【０００６】
【課題を解決する為の手段】
本発明に係る小型焼却溶融炉は運搬することが可能なようにコンパクトに構成されている。該小型焼却炉は第１燃焼室を有す第１燃焼炉を備え、該第１燃焼炉の上部には廃棄物投入口を設けている。そして、該第１燃焼炉には第１燃焼装置を取付けて第１燃焼室内温度は１４００℃〜１７００℃に達し、全ての産業廃棄物が焼却・溶融される。そして第１燃焼室の周囲は耐火煉瓦が使用され、該第１燃焼炉の外側には第２燃焼炉を設け、第１燃焼室と通路を介して連続した第２燃焼室を第２燃焼炉に設けている。ここで、第２燃焼炉及び通路も耐火煉瓦が使用されている。
【０００７】
又、上記第２燃焼室には第２燃焼装置が備わっていて、第１燃焼室から流れ出すガスを再度燃やすことが出来る。そして熱風となって耐火煉瓦製のサイクロンへ流れ、サイクロンは側部に設けたエアー口から空気を外から流入することで熱風の温度を下げて、上端から大気中に排出する。
【０００８】
高温加熱される第１燃焼室の底には産業廃棄物に混ざっている金属類が溶融して溶融スラグとして溜まり、底蓋から溶融スラグが流れ落ちて下方の容器の収容部にスラグとして収容される。該容器は時々引き出されて該スラグを取り出すことが出来る。又、上記サイクロンの下端には灰が溜まり、該灰は下端に設けた口を開いて取り出すことが出来る。以下、本発明に係る実施例を図面に基づいて詳細に説明する。
【０００９】
【実施例】
図１、図２は本発明に係る小型焼却溶融炉を示す実施例であり、図１は正面図、図２は平面図を表わしている。そして、同図の１は第１燃焼室、２は第２燃焼室、３はサイクロンを示している。第１燃焼室１は筒形の第１燃焼炉４にて構成され、第１燃焼炉４は耐火煉瓦５，５・・を積み上げて造られている。
【００１０】
第１燃焼炉４の外側には第１燃焼装置６が取着され、該第１燃焼装置６から発生する燃焼熱は第１燃焼室１を１４００℃〜１７００℃の高温に加熱し、第１燃焼室１に投入された産業廃棄物はほぼ完全に燃焼することが出来る。しかも、このような高温に保つことで、あらゆる産業廃棄物が燃焼すると共に、金属類は溶融して第１燃焼室１の底７に溜まることになる。
【００１１】
該底７は中央部が低く傾斜していて、中央には底蓋８が設けられている。そして、底蓋８に形成している穴９，９・・を溶融金属が流れて下方に備えている容器１０の収容部１１に溜まることが出来る。該容器１０はジャッキ１２によって押し上げられているが、ジャッキ１２を降下することにより、該容器１０はレール１３，１３に沿って引き出すことが出来る。そして、容器１０を反転して収容部１１に溜まっている金属類（スラグ）を取り出すことが可能となる。
【００１２】
第１燃焼炉４の上端に設けている投入口１３から蓋を開いて投入された産業廃棄物は第１燃焼室１内で燃焼し、発生したガスは第１燃焼室１と連続している第２燃焼室２へ流れる。第２燃焼室２は第２燃焼炉１４内部に形成され、第２燃焼炉１４の外側に取着されている第２燃焼装置１５によって第２燃焼室２が再度加熱される。そこで、第２燃焼室１から流れてくるガスは燃焼して熱風となって送り出される。
【００１３】
そして、この熱風は通路１６を流れてサイクロン３へ入り、サイクロン３の上端から排出される。この場合、該サイクロン３の上端部にはエアー口１７を有し、このエアー口１７から空気を流入することで内部温度を低下して排出する。通路１６から流入する熱風がサイクロン３へ入って上端から排出される為に、エアー口１７からは冷えた空気が独りでに流入して、熱風の温度を下げる役目を果たすことが出来る。
【００１４】
該サイクロン３へ流れ込む熱風には殆ど灰は存在しないが、僅かに混入している灰は底部に溜まることが出来る。そして、底１８を定期的に開口して溜まっている灰を取り出すことが出来る。一方、本発明の小型焼却溶融炉は基台２０の上に装着される為に、所定の場所へ運搬して簡単に設置でき、又設置場所を容易に変えることも可能である。以上述べたように、本発明に係る小型焼却溶融炉は耐火煉瓦で出来た第１燃焼炉と第２燃焼炉を有し、そして第２燃焼炉から延びる通路先端にはサイクロンを備えたものであり、次のような効果を得ることが出来る。
【００１５】
【発明の効果】
本発明の小型焼却溶融炉は第１燃焼炉の第１燃焼室は１４００℃〜１７００℃の高温に加熱される為に、投入された廃棄物はほぼ完全に燃焼する。そして廃棄物に混入している金属は溶融して底に溜まり、底蓋から流れ落ちて下方に設けている容器の収容部にスラグとして収容される。該スラグは容器を引き出すことで取り出される。
【００１６】
そして、第１燃焼室にて燃焼すると共に、不完全燃焼のガスは第２燃焼室で再度燃焼する。その為に、第２燃焼室を加熱するための第２燃焼装置が備わっている。投入された廃棄物ほぼ完全に燃焼し、熱風は通路を流れてサイクロンへ入り、しかもサイクロンに設けたエアー口から冷えた空気を取り入れて温度を下げたところで大気中へ排出する。
【００１７】
このように、本発明の焼却溶融炉は１４００℃〜１７００℃に加熱する為に、全ての廃棄物が完全焼却され、又金属類は溶融することが出来る。そして、ダイオキシン等のガスを含まない熱風として大気中へ排出することが出来るために、大気を汚染することはなく、一台の焼却炉にて全ての産業廃棄物の焼却処理が可能となる。さらに、第１燃焼炉及びサイクロン等は１つのベース（基台）上に装着されているために、容易に設置でき、又設置場所を簡単に移動することも可能となる。
【図面の簡単な説明】
【図１】本発明に係る小型焼却溶融炉の正面図。
【図２】本発明に係る小型焼却溶融炉の平面図。
【符号の説明】
１  第１燃焼室
２  第２燃焼室
３  サイクロン
４  第１燃焼炉
５  耐火煉瓦
６  第１燃焼装置
７  底
８  底蓋
９  穴
１０  容器
１１  収容部
１２  ジャッキ
１３  投入口
１４  第２燃焼炉
１５  第２燃焼装置
１６  通路
１７  エアー口
１８  底
１９  レール
２０  基台
【図１】
2004333082.tif 000003
【図２】
2004333082.tif 000004